(57)【特許請求の範囲】
【請求項１】
第一のコネクター（１）と第二のコネクター（２１）とから構成され、
前記第一のコネクター（１）の一端部は、体外循環回路を構成するチューブ（７）に接続され、前記第二のコネクター（２１）の一端部は体液循環処理装置を構成するポート部（２５）の一端部に接続され、
前記第一のコネクター（１）は、回動部材（２）と挿入部材（３）から構成され、
前記回動部材（２）は、円筒体（４）と翼（５）とから構成され、当該円筒体（４）の基端外周に前記翼（５）を形成し、当該円筒体（４）の外周面に螺旋状のネジ山（２ａ）を形成し、当該円筒体（４）の内周面（４ａ）にルアーテーパーを形成し、
前記挿入部材（３）は、筒状の本体部（３ａ）と筒状の挿入部（３ｂ）とから構成され、当該挿入部（３ｂ）の外周面にルアーテーパーを形成し、
前記本体部（３ａ）と前記挿入部（３ｂ）の間に突部（８）を形成し、
前記本体部（３ａ）の基端に接続部（６）を装着し、当該接続部（６）に前記チューブ（７）を接続し、
前記本体部（３ａ）の外周に前記回動部材（２）を装着し、当該回動部材（２）の翼（５）の移動を、前記接続部（６）と前記突部（８）との間内で制限し、
前記第二のコネクター（２１）は、内円筒（２３）と外円筒（２２）とから構成され、当該内円筒（２３）の外周面にルアーテーパーを形成し、
当該外円筒（２２）は内周面にネジ溝（２２ａ）を形成し、
前記挿入部材（３）の挿入部（３ｂ）を前記第二のコネクター（２１）の内円筒（２３）に圧入して、前記回動部材（２）を回動させながら、前記体液循環処理装置側方向に押し進め、
当該回動部材（２）のネジ山（２ａ）を前記第二のコネクター（２１）のネジ溝（２２ａ）に螺合することができるように形成し、
これにより前記円筒体（４）の内周面（４ａ）が、前記挿入部（３ｂ）の外周面に、より強固に密着することができるように形成した、ことを特徴とする体外循環回路と体液循環処理装置とのコネクター部材。
【請求項２】
前記回動部材（２）の円筒体（４）の長さ方向に切り欠き溝（１２ａ）を形成した、ことを特徴とする請求項１に記載の体外循環回路と体液循環処理装置とのコネクター部材。
【請求項３】
前記挿入部材（３）の長さ（Ｃ）は、前記回動部材（２）の長さ（Ａ）と前記内円筒（２３）との長さ（Ｂ）を合わせた長さより長く形成した、ことを特徴とする請求項１または請求項２に記載の体外循環回路と体液循環処理装置とのコネクター部材。
【請求項４】
前記挿入部（３ｂ）外周面のルアーテーパーの勾配（Ｔ１）に対して、前記円筒体（４）の内周面（４ａ）のルアーテーパーの勾配（Ｔ２）を大きく形成した、ことを特徴とする請求項１から請求項３のいずれか１の請求項に記載の体外循環回路と体液循環処理装置とのコネクター部材。
【発明の詳細な説明】
【０００１】
【発明の属する技術分野】
本発明は体外循環回路と血液透析で使用する体液循環処理装置（ダイアライザー、血漿分離装置等）とを接続するコネクターの改良に関し、体外循環回路と体液循環処理装置のコネクター部材に関する。

【０００２】
【従来の技術及び発明が解決しようとする課題】
例えば特許文献１では体外循環回路のチューブにメスコネクターの基端部を接着剤等で接続し、先端部には締め付けリングが遊冠されている。
例えば体液循環処理装置の上面及び下面に形成したオスコネクターは、外周に凹凸の嵌合部と先端が先細りのルアーテーパーが長さ方向に一体に形成されている。前記メスコネクターの先端の締め付けリングは前記凹凸の嵌合部と嵌合して前記メスコネクターが前記ルアーテーパーと係合する。
前記メスコネクターは前記オスコネクター先端のルアーテーパーと部分的に係合するのみであるから、前記締め付けリングと前記凹凸の嵌合が弱いと係合部の締め付けも緩くなることが懸念される。
【０００３】
特許文献２では、メスコネクターは、コア部材の外周にハウジングを形成し、前記ハウジングにはネジ山が形成されている。オスコネクターは内円筒と外円筒より構成され、内円筒の外面にはルアーテーパーが形成され、外円筒の内面にはネジ溝が形成されている。
メスコネクターをオスコネクターに接続するには、ネジ山とネジ溝を合わせ、メスコネクターを回動させるとコア部材は回転することなく内円筒にスライドしながら押し込まれる。
しかしながら前記特許文献２は、体外循環回路と体液循環処理装置との接続に関しては開示されてない。
【０００４】
【特開文献１】
実開昭５３−５３８９９号公報（第２図、第３−４頁）
【０００５】
【特許文献２】
特開平１１−３１３８９６号公報（第３図、［０００８］）
【０００６】
【課題を解決する為の手段】
本発明者は以上の課題を解決する為に、鋭意検討を重ねた結果次の発明に到達した。
［１］本発明は、第一のコネクター（１）と第二のコネクター（２１）とから構成され、
前記第一のコネクター（１）の一端部は、体外循環回路を構成するチューブ（７）に接続され、前記第二のコネクター（２１）の一端部は体液循環処理装置を構成するポート部（２５）の一端部に接続され、
前記第一のコネクター（１）は、回動部材（２）と挿入部材（３）から構成され、
前記回動部材（２）は、円筒体（４）と翼（５）とから構成され、当該円筒体（４）の基端外周に前記翼（５）を形成し、当該円筒体（４）の外周面に螺旋状のネジ山（２ａ）を形成し、当該円筒体（４）の内周面（４ａ）にルアーテーパーを形成し、
前記挿入部材（３）は、筒状の本体部（３ａ）と筒状の挿入部（３ｂ）とから構成され、当該挿入部（３ｂ）の外周面にルアーテーパーを形成し、
前記本体部（３ａ）と前記挿入部（３ｂ）の間に突部（８）を形成し、
前記本体部（３ａ）の基端に接続部（６）を装着し、当該接続部（６）に前記チューブ（７）を接続し、
前記本体部（３ａ）の外周に前記回動部材（２）を装着し、当該回動部材（２）の翼（５）の移動を、前記接続部（６）と前記突部（８）との間内で制限し、
前記第二のコネクター（２１）は、内円筒（２３）と外円筒（２２）とから構成され、当該内円筒（２３）の外周面にルアーテーパーを形成し、
当該外円筒（２２）は内周面にネジ溝（２２ａ）を形成し、
前記挿入部材（３）の挿入部（３ｂ）を前記第二のコネクター（２１）の内円筒（２３）に圧入して、前記回動部材（２）を回動させながら、前記体液循環処理装置側方向に押し進め、
当該回動部材（２）のネジ山（２ａ）を前記第二のコネクター（２１）のネジ溝（２２ａ）に螺合することができるように形成し、
これにより前記円筒体（４）の内周面（４ａ）が、前記挿入部（３ｂ）の外周面に、より強固に密着することができるように形成した、体外循環回路と体液循環処理装置とのコネクター部材を提供する。
［２］本発明は、前記回動部材（２）の円筒体（４）の長さ方向に切り欠き溝（１２ａ）を形成した、［１］に記載の体外循環回路と体液循環処理装置とのコネクター部材を提供する。
［３］本発明は、前記挿入部材（３）の長さ（Ｃ）は、前記回動部材（２）の長さ（Ａ）と前記内円筒（２３）との長さ（Ｂ）を合わせた長さより長く形成した、［１］または［２］に記載の体外循環回路と体液循環処理装置とのコネクター部材を提供する。
［４］本発明は、前記挿入部（３ｂ）外周面のルアーテーパーの勾配（Ｔ１）に対して、前記円筒体（４）の内周面（４ａ）のルアーテーパーの勾配（Ｔ２）を大きく形成した、［１］から［３］のいずれか１項に記載の体外循環回路と体液循環処理装置とのコネクター部材を提供する。
【０００７】
【発明の実施の形態】
図１は体外循環回路のチューブ７に接続した第一のコネクター１（コネクター１）を体液循環処理装置２６の第二のコネクター（オスコネクター）２１に接続する前の略断面図で、図２挿入部材３の挿入部３ｂを第二のコネクター（オスコネクター）２１の内円筒２３に圧入した略断面図で、図３は回動部材２を回動して、ネジ山２ａがネジ溝２２ａに嵌合した略断面図である。
図４は回動部材２の円筒体４の長さ方向に切り欠き溝１２ａを形成した第一のコネクター１（コネクター１）コネクター１の概略図である。
【０００８】
［第一のコネクター１（以下、コネクター１）］
コネクター１は回動部材２と挿入部材３から構成され、前記回動部材２は前記挿入部材３の本体部３ａ外周に配置されている。
【０００９】
［回動部材２］
回動部材２は円筒体４の基端外周に翼５を形成し、前記円筒体４の外周に、螺旋状のネジ山２ａを形成し、該円筒体４の内周面４ａはルアーテーパーに形成され、その勾配Ｔ２は例えば６／１００より大きく形成されている。
また図４のように回動部材２の円筒体４の長さ方向に切り欠き溝１２ａを形成することができる。前記切り欠き溝１２ａは対称に少なくとも二ヶ所または四ヶ所または六ヶ所、形成することができる。
【００１０】
［挿入部材３］
挿入部材３は円筒状の本体部３ａと挿入部３ｂから形成され、前記本体部３ａと挿入部３ｂの間の外周には環状ないしリング状の突部８が形成されている。前記本体部３ａの基端に接続部６を介して体外循環回路のメインチューブ７が接続されている。前記挿入部３ｂの外周面はルアーテーパーに形成され、その勾配Ｔ１は例えば６／１００で形成される。
前記突部８は本体部３ａの外周に配置した回動部材２が挿入部３ｂに進まないようにストッパーの役割を果たしている。
【００１１】
［第二のコネクター２１（以下、オスコネクター２１）］
オスコネクター２１は例えば体液循環処理装置の上面及び下面に液密に装着したポート部２５の中心部に一体に形成されている。
オスコネクター２１は外円筒２２と内円筒２３とが二重同芯円状に形成されている。前記外円筒２２の内周には、前記回動部材２のネジ山２ａと螺合するネジ溝２２ａが螺旋状に形成されている。前記内円筒２３の外周面にはルアーテーパーが形成されている。
【００１２】
本発明のコネクター１とオスコネクター２１の接続方法を図１から図３の順番に従って説明する。
図１、図２より、挿入部材３の挿入部３ｂをオスコネクター２１の内円筒２３の外周に圧入し、前記内円筒２３の先端が挿入部３ａの後端まで挿入する。前記内円筒２３の外周面と挿入部３ｂの内周面が液密に接続（密着）される。
図３より、回動部材２を本体部３ａに沿って前方に進め、翼５を指で摘み回転させる。前記回動部材２のネジ山２ａとオスコネクター２１のネジ溝２２ａが螺旋状に沿って螺合すると同時に、円筒体４の内周面４ａが挿入部３ｂの外周面に密着し、より強固に密着することができる。
【００１３】
前記図４のように切り欠き溝１２ａを形成した回動部材２を配置したコネクター１を形成することができる。前記切り欠き溝１２ａを形成して前記段落番号［００１２］の図３の説明のようにネジ山２ａとネジ溝２２ａを螺合させる。
前記のように螺合すると前記円筒体４が圧縮され、該円筒体４の内周面４ａが挿入部３ｂの外周面に密着することができる。
【００１４】
挿入部材３の長さＣは、回動部材２の長さＡと内円筒２３の長さＢを合わせた長さより、長く形成することができる。挿入部材３の本体部３ａの長さを長くすることにより、前記図２のように挿入部３ｂを内円筒２３に圧入した後、円筒体４の先端と外円筒２２の先端が接触しないようにすることができる。従ってある程度のクリアランスを持たせることでネジ山２ａをネジ溝２２ａに螺合し易くなる。
【００１５】
挿入部３ｂのルアーテーパーの勾配Ｔ１より、円筒体４の内周面４ａのルアーテーパーの勾配Ｔ２を大きく形成することができる。
前記段落番号［００１２］の図３の説明のように円筒体４のネジ山２ａが外円筒２２のネジ溝２２ａに嵌合すると、前記内周面４ａのルアーテーパーの勾配Ｔ２は、前記ルアーテーパーの勾配Ｔ１より大きく形成した分、前記ネジ山２ａとネジ溝２２ａの螺合がきつくなると同時に更にかしめることができ、前記挿入部３ｂの外周面と円筒体４の内周面４ａが強固に密着するので、当該密着部からの液漏れを防止することができる。
【００１６】
【発明の作用効果】
（１）本発明の体外循環回路と体液循環処理装置とのコネクター部材は、第一のコネクター１の挿入部３ｂを第二のコネクター２１の内円筒２３に圧入して、回動部材２を回動させながら、体液循環処理装置側方向に押し進め、回動部材２のネジ山２ａを第二のコネクター２１の外円筒２２に形成されたネジ溝２２ａに螺合することにより、相互に接続された第一のコネクター１の挿入部３ｂと第二のコネクター２１の内円筒２３を、さらに外からに回動部材２の円筒体４、さらに第二のコネクター２１の外円筒２２で締め付けるので、確実に且つ強固に密着することができ液漏れすることなく接続することができる。
（２）回動部材２の円筒体４の外周長さ方向に切り欠き溝１２ａを形成したコネクター１では、前記円筒体４が圧縮され、内周面４ａが挿入部３ｂの外周に密着することで液漏れすることなく確実に接続することができる。
（３）コネクター１の本体部３ａの長さを回動部材２の長さＡと内円筒２３の長さＢを合わせた長さより長く形成することで、外円筒２２のネジ溝２２の先端に円筒体４のネジ山２ａを螺合する切掛けをつかみ易くすることができる。
（４）挿入部材３の外周ルアーテーパーの勾配Ｔ１より、内周面４ａのルアーテーパーの勾配Ｔ２を大きく形成することで、前記挿入部３ｂの外周面と前記円筒体４の内周面４ａを強固に密着するので当該密着部からの液漏れを防止することができる。
【図面の簡単な説明】
【図１】接続前の本発明のコネクター１とオスコネクター２１の略断面図
【図２】挿入部材３の挿入部３ｂを内円筒２３の外周に圧入した時の略断面図
【図３】回動部材２を回動してコネクター１をオスコネクター２１に接続した略断面図
【図４】回動部材２に切り欠き溝１２ａを形成したコネクター１の概略図
【符号の説明】
１     第一のコネクター（コネクター）
２     回動部材
２ａ   ネジ山
３     挿入部材
３ａ   本体部
３ｂ   挿入部
４     円筒体
４ａ   内筒体の内周面
５     翼
６     接続部
７     メインチューブ
８     突部
１２ａ 切り欠き溝
２１    第二のコネクター（オスコネクター）
２２   外円筒
２２ａ ネジ溝
２３   内円筒
２５   ポート部
２６   体液循環処理装置（ダイアライザー、血漿分離装置等）
Ａ     回動部材２の長さ
Ｂ     内円筒２３の長さ
Ｃ     挿入部材３の長さ
Ｔ１、Ｔ２   勾配
【図１】
0004362036.tif 000002
【図２】
0004362036.tif 000003
【図３】
0004362036.tif 000004
【図４】
0004362036.tif 000005